(57)【要約】【課題】収納空間に物を使い勝手よく出し入れできる建物を提供することを課題としている。【解決手段】特定階１に設けられたその他の空間３側に位置する中間床縁部４ａが、柱または袖壁からなる支持部７によって支持されており、前記中間床縁部４ａと特定床２との間の、前記支持部７以外の部位は開口８とされている。したがって、開口８の開口面積が非常に大きくなり、よって、この開口８から収納空間に物を容易に出し入れできる。【選択図】図１
2005351032.tif 000002
【特許請求の範囲】
【請求項１】
特定階の一部に、中間床が前記特定階を構成する特定床の上側において設けられ、この中間床と前記特定床との間が収納空間とされた建物であって、
前記特定階に設けられたその他の空間側に位置する中間床縁部が、柱または袖壁からなる支持部によって支持されており、前記中間床縁部と特定床との間の、前記支持部以外の部位は開口とされていることを特徴とする建物。
【請求項２】
請求項１に記載の建物において、
前記中間床縁部と特定床との間にある開口には、移動可能な家具または設備機器等からなる移動体が挿入されていることを特徴とする建物。
【請求項３】
請求項１または２に記載の建物において、
前記収納空間を形成する壁には、前記開口を開閉する開閉部材が横方向に移動可能に設けられていることを特徴とする建物。
【請求項４】
請求項１〜３のいずれか一項に記載の建物において、
隣り合う前記支持部間または支持部と前記収納空間を形成する壁との間に棚が架設されていることを特徴とする建物。
【請求項５】
請求項４に記載の建物において、
前記棚には、その奥行き方向に移動可能な間仕切が設けられていることを特徴とする建物。
【発明の詳細な説明】
【技術分野】
【０００１】
本発明は、建物に係り、特に中間床を設け、この中間床の下方に収納空間を設けたものに関する。
【背景技術】
【０００２】
従来、住宅等において物品を保管、収容する場所として、建物内部には押入や納戸、床下収納庫、小屋裏収納部、天井裏収納部等の収納スペースが設けられ、また、屋外には物置等が設置されることがある。
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、その内部により大きな収納スペースを備えた建物が望まれている。
【０００３】
内部に収納スペースを備えた建物の一例として、特許文献１に記載のものが知られている。この特許文献１に記載の建物では、特定フロアと、この特定フロアの直上に位置する直上フロアとを有する建物であって、特定フロアおよび直上フロアは、それらの一部に設けられた中間床と、この中間床の下側に形成された中間床下側空間と、当該中間床の上側に形成された中間床上側空間とを備え、特定フロアの中間床上側空間の少なくとも一部と、直上フロアの中間床下側空間の少なくとも一部とが連通された吹き抜け空間が構成されており、特定フロアの中間床下側空間と、直上フロアの中間床下側空間のうち、吹き抜け空間を構成しない中間床下側空間とは、各々収納空間とされている。
【特許文献１】特開２００４−４４２１０号公報
【発明の開示】
【発明が解決しようとする課題】
【０００４】
上記のような建物では、中間床下側空間が収納空間とされているが、この収納空間は物を出し入れする小さな出入れ口が一つであるので、収納した物は全てこの出入れ口から収納空間に入って取り出してこなければならないので、使い勝手がよくない場合があった。
【０００５】
本発明は上記事情に鑑みてなされたものであり、収納空間に物を使い勝手よく出し入れできる建物を提供することを課題としている。
【課題を解決するための手段】
【０００６】
上記課題を解決するために、請求項１に記載の発明は、例えば図１および図２に示すように、特定階１の一部に、中間床４が前記特定階１を構成する特定床２の上側において設けられ、この中間床４と前記特定床２との間が収納空間６とされた建物であって、
前記特定階１に設けられたその他の空間３側に位置する中間床縁部４ａが、柱または袖壁からなる支持部７によって支持されており、前記中間床縁部４ａと特定床２との間の、前記支持部７以外の部位は開口８とされていることを特徴とする。
【０００７】
ここで、特定階とは、建物の所定の階を意味し、例えば、１階、２階、３階等の所定の階は勿論のこと、地下にある地下１階、２階等の所定の階も意味する。そして、特定床は特定階を構成する床であり、特定階が１階であれば１階床、２階であれば２階床である。
中間床は特定床の上側でかつ特定階に設けられる床であり、この中間床と特定床の間が収納空間とされる。中間床は、収納空間の高さが０．９ｍ〜１．４ｍ程度となるように、特定床の上方に設けられるのが望ましい。
前記その他の空間とは、例えば特定階に居室やキッチン、玄関等が設けられる場合は、これら居室やキッチン、玄関等のことを意味する。
また、袖壁とは、収納空間を囲んでいる壁に比して、幅が狭い壁のことを意味しており、この袖壁は中間床縁部と特定床との間の開口面に対して略垂直に配置される。
【０００８】
請求項１に記載の発明によれば、中間床縁部４ａと特定床２との間の、前記支持部７以外の部位は開口８とされているので、つまり中間床縁部４ａと特定床２との間は、支持部７以外は全て空間とされているので、開口８の開口面積が非常に大きくなり、よって、この開口８から収納空間に物を容易に出し入れできる。
【０００９】
請求項２に記載の発明は、例えば図３および図４に示すように、請求項１に記載の建物において、
前記中間床縁部４ａと特定床２との間にある開口８には、移動可能な家具または設備機器等からなる移動体１０が挿入されていることを特徴とする。
【００１０】
ここで、支持部を境にして開口が左右に複数ある場合、少なくとも一つの開口に移動体を挿入すればよい。
また、家具としては例えばキャスター付の箪笥、収納棚等が挙げられる。また、設備機器としては、例えば、キャスター付の流し台、ＡＶ（オーディオ、ビデオ）機器、エアーコンディショナー等が挙げられる。
【００１１】
請求項２に記載の発明によれば、移動可能な家具または設備機器等からなる移動体１０が開口８に挿入されているので、居間等の他の空間３から移動体１０に物を出し入れしたり、移動体１０を操作できる。また、移動体１０を開口８から取り出すことによって、物を収納空間６に出し入れでき、また、移動体１０を他の場所に設置することもできる。
さらに、開口８を全て塞ぐようにして移動体１０を挿入することによって、収納空間６への出入り口となる開口８に扉を設けなくても、この開口８を塞ぐことができる。
【００１２】
請求項３に記載の発明は、例えば図５に示すように、請求項１または２に記載の建物において、
前記収納空間６を形成する壁６ａには、前記開口８を開閉する開閉部材１１が横方向に移動可能に設けられていることを特徴とする。
【００１３】
ここで、前記開閉部材としては、例えば、横方向にスライド可能でかつ折り曲げ可能なシャッターや、折り畳み扉等が挙げられる。
【００１４】
請求項３に記載の発明によれば、開閉部材１１が横方向に移動可能に設けられているので、この開閉部材１１によって開口８を所望の開口面積に開口でき、また、開口を全閉とすることもできる。
【００１５】
請求項４に記載の発明は、例えば図６に示すように、請求項１〜３のいずれか一項に記載の建物において、
隣り合う前記支持部７，７間または支持７と前記収納空間６を形成する壁６ａとの間に棚１２が架設されていることを特徴とする。
【００１６】
請求項４に記載の発明によれば、隣り合う支持部７，７間または支持部７と収納空間６を形成する壁６ａとの間に棚１２が架設されているので、つまり収納空間６の開口８に棚１２が設けられているので、この棚１２を収納空間６側と、居間等の他の空間３側の双方から使用できる。
【００１７】
請求項５に記載の発明は、例えば図７に示すように、請求項４に記載の建物において、
前記棚１２には、その奥行き方向に移動可能な間仕切１３が設けられていることを特徴とする。
【００１８】
請求項５に記載の発明によれば、棚１２を、収納空間６側から使用する奥部分１２ａと、その他の空間３側から使用する手前部分１２ｂとに間仕切によって自由に区画できるので、その他の空間３で使用する物の大きさや量、収納空間６に収納する物の大きさや量によって、棚１２を有効利用できる。
【発明の効果】
【００１９】
本発明によれば、特定階に設けられたその他の空間側に位置する中間床縁部が、柱または袖壁からなる支持部によって支持されており、中間床縁部と特定床との間の、前記支持部以外の部位は開口とされているので、つまり中間床縁部と特定床との間は、支持部以外は全て空間とされているので、開口の開口面積が非常に大きくなり、よって、この開口から収納空間に物を容易に出し入れできる。
【発明を実施するための最良の形態】
【００２０】
以下、図面を参照して、本発明の実施の形態について説明する。
（第１の実施の形態）
図１および図２は、本発明に係る建物の第１実施形態を示すものであり、図１は建物の縦断面図、図２は建物の２階の要部を示す斜視図である。
【００２１】
図１および図２に示すように、建物は２階建ての住宅であり、例えば周知のパネル工法によって構築されている。
本実施の形態では、２階を特定階１としており、この特定階１を構成する２階の床を特定床２としている。特定階（２階）１には、左側に居間（その他の空間）３が設けられており、右側に中間床４が設けられている。中間床４は、建物の略右側半分において、特定床２の上側に設けられている。この中間床４上には、居室５が設けられている。また、中間床４と特定床２との間は収納空間６とされ、この収納空間６の高さは０．９ｍ〜１．４ｍ程度とされている。
【００２２】
また、図２（ａ）に示すように、中間床４の中間床縁部のうち、居間３側に位置する中間床縁部４ａは柱からなる支持部７によって支持されている。支持部７は特定床２と中間床縁部４ａとの間に２本等間隔で立設されおり、これら支持部７，７の上端部で中間床縁部４ａが支持されている。そして、中間床縁部４ａと特定床２との間の、支持部７以外の部位は開口８とされている。つまり、支持部７，７の間、支持部７と収納空間６を形成する壁６ａの側端部との間が開口８とされている。開口８は本実施の形態では支持部７，７を境にして３つある。
なお、中間床４のその他の３つの縁部は、それぞれ収納空間６を囲む壁によって支持されている。また、収納空間６は壁６ａ，６ａ，６ｂによって３方が囲まれており、壁６ａ，６ａの側端部間が前記開口８となっている。
【００２３】
前記中間床縁部４ａは、２本の柱からなる支持部７，７によって支持されているが、例えば図２（ｂ）に示すように、柱に代えて、２つの袖壁からなる支持部７，７によって支持されてもよい。この支持部７を構成する袖壁は、長方形板状に形成されたもので、開口８の開口面に対してほぼ垂直に配置され、前記壁６ａ，６ａとほぼ平行になっている。
【００２４】
このように本実施の形態では、特定階１に設けられたその他の空間（居間）３側に位置する中間床縁部４ａが、柱または袖壁からなる支持部７，７によって支持されており、中間床縁部４ａと特定床２との間の、支持部７以外の部位は開口８とされているので、つまり中間床縁部４ａと特定床２との間は、支持部７以外は全て空間８とされているので、開口８の開口面積が非常に大きくなり、よって、この開口８から収納空間６に物を容易に出し入れできる。
【００２５】
図３は、前記収納空間６を示す平面図である。この図に示すように、前記中間床縁部４ａと特定床２との間にある３つの開口８・・・に、それぞれ移動体１０を挿入してもよい。この移動体１０は、例えば、キャスター付の収納家具であり、その前面１０ａにある開口は扉によって開閉自在とされている。また、移動体１０はその幅と高さが、開口８の幅と高さにほぼ等しいか若干小さめになっており、これによって、移動体１０は開口８をほぼ塞ぐようにして挿入されている。また、移動体１０の前面１０ａには、図示は省略するが取手が取り付けられており、移動体１０を開口８から取り出す際はこの取手を掴んで引き出すことによって行うようになっている。
なお、移動体１０としては収納家具に限らず、例えば、キャスター付の流し台、ＡＶ（オーディオ、ビデオ）機器、エアーコンディショナー等としてもよい。移動体１０を流し台とする場合、その他の空間３は居間に代えてキッチンとするのが望ましい。
【００２６】
このように、収納空間６の開口８に移動体１０が挿入されているので、居間等の他の空間３から移動体１０に物を出し入れしたり、移動体１０を操作できる。
また、移動体１０を開口８から取り出すことによって、物を収納空間６に出し入れでき、また、移動体１０を他の場所に設置することもできる。物を収納空間６に出し入れする場合は、所望の移動体１０を開口８から取り出せばよい。
さらに、開口８を全て塞ぐようにして移動体１０を挿入することによって、収納空間６への出入り口となる開口８に扉を設けなくても、この開口８を塞ぐことができる。
【００２７】
なお、この例では、３つの開口８にそれぞれ移動体１０を挿入しているが、所望の開口８に移動体１０を挿入してもよい。また、図４に示すように、前記支持部７，７が柱である場合においても、中間床縁部４ａと特定床２との間にある３つの開口８・・・のうちの、所望の開口８，８にそれぞれ移動体１０を挿入してもよい。
さらに、移動体１０が収納家具である場合、この収納家具を前面と背面との双方が開口し、内部に棚を有する構造とすれば、収納家具を収納空間６側と居間３側の双方から使用することができる。また、この棚に間仕切を棚の奥行き方向に移動可能に設けることによって、収納家具を、収納空間６側から使用する手前部分と居間３側から使用する奥部分とに間仕切によって自由に区画でき、よって、したがって、居間３で使用する物の大きさや量によって、収納家具を有効利用できる。
【００２８】
また、図５に示すように、収納空間６を形成する壁６ａに、開口８を開閉する一対の開閉部材１１，１１を横方向に移動可能に設けてもよい。開閉部材１１は横方向にスライド可能でかつ折り曲げ可能なシャッターで構成されている。
開閉部材１１は壁６ａに沿ってスライド可能であり、さらに、壁６ａの側端部において円弧状に折り曲げられつつスライドして、開口８の開口面にそってスライドするようになっている。また、開閉部材１１は３つある開口８のうち、隣り合う開口８，８を同時に塞ぐことができるような長さに形成されている。
【００２９】
そして、このような一対の開閉部材１１，１１によって３つの開口８・・・を同時に塞ぐ場合、一対の開閉部材１１，１１の対向する側端部１１ａ，１１ａを、中央にある開口８の幅方向中央部で突き合わすことによって行われる。また、中央の開口８のみを開放する場合、一対の開閉部材１１，１１の側端部１１ａ，１１ａを支持部７，７前に位置させることによって行われる。さらに、中央の開口８とこれに隣り合う一方の開口８を塞ぐ場合、一方の開閉部材１１の側端部１１ａを、他方の開口８側にある支持部７前に位置させることによって行われる。
このように、開閉部材１１，１１が横方向に移動可能に設けられているので、この開閉部材１１，１１によって開口８・・・を所望の開口面積に開口でき、また、開口８・・・を全閉とすることもできる。
【００３０】
また、図６に示すように、袖壁で形成された一方の支持部７と収納空間６を形成する壁６ａとの間に棚１２，１２を架設してもよい。棚１２，１２は上下に離間して配置されており、それらの両側端部が支持部７と壁６ａに固定されている。棚１２，１２の先端部の位置は支持部７の先端部の位置に揃えられている。
このように、支持部７と壁６ａとの間に棚１２，１２が架設されているので、つまり収納空間６の開口８に棚１２，１２が設けられているので、この棚１２，１２を収納空間６側と、居間３側の双方から使用できる。特に、居間等で使用頻度の高い物を棚１２に収納することによって、その物を収納空間６に入ることなく、居間３側からすぐに取り出して居間３で使用でき、また、その後の収納も容易である。
なお、収納棚１２は隣り合う支持部７，７間に架設してもよいし、他方の支持部７と壁６ａとの間に架設してもよい。ただし、収納空間６に出入りするために、３つある開口８・・・のうち、少なくとも一つには、棚１２を設けないことが必要である。
【００３１】
さらに、図７に示すように、前記棚１２に、間仕切１３を棚１２の奥行き方向に移動可能に設けてもよい。上段および中段の間仕切１３，１３はそれぞれ棚１２，１２の上面に矢印方向（棚１２の奥行き方向）にスライド可能に取り付けられており、下段の間仕切１３は棚１２の下面に矢印方向にスライド可能に取り付けられている。
このように、棚１２を、収納空間６側から使用する奥分１２ａと、他の空間（居間３）側から使用する手前部分１２ｂとに間仕切１３によって自由に区画できる。したがって、居間３で使用する物の大きさや量によって、棚１２を有効利用できる。
【００３２】
また、図８に示すように、柱で構成された支持部７の後方に、間仕切壁１５を開口８の開口面と平行に設置してもよい。このようにすれば、間仕切壁１５の前方（図８においては左方）に収納空間６と仕切られた補助収納空間１６を形成できるので、この補助収納空間１６を居間３側から使用できる収納スペースとすることができる。また、この補助収納空間１６において、棚１７，１７を支持部７と間仕切壁１５との間に架設することによって、物を容易に整理して補助収納空間１６に収納できる。
なお。間仕切壁１５の幅は、収納空間６の幅、つまり、収納空間６を形成する壁６ａ，６ａ間の距離より小さく設定するのが望ましい。このようにすれば、間仕切壁１５の側端部と壁６ａとの間から後方の収納空間６に出入りできる。また、間仕切壁１５の幅を収納空間６の幅と等しくした場合、この間仕切壁に後方の収納空間６に出入りするための開口を形成する必要がある。さらに、前記間仕切壁１５は、袖壁で構成された支持部７の後方に設置してもよい。
【００３３】
また、図９に示すように、中間床４の中間床縁部４ａを、中間床４の上方に設けられた居室５の壁５ａより居間３側に突出させてもよい。この場合、前記支持部７と間仕切壁１５との間に架設された棚１７を居間３側に突出させ、その先端部を突出している中間床縁部４ａの先端部と揃える。さらに、突出している中間床縁部４ａ上には、収納棚１８を設ける。このようにすれば、居間３側から棚１７および収納棚１８を使用でき、居間３で使用頻度の高い物を効率よく収納できる。
【００３４】
さらに、図１０に示すように、中間床４の上方に設けられた居室５の壁５ａの上部を居間３側に張り出して、下部に凹所１９を形成してもよい。このようにすると、居間３側から補助収納空間１６および凹所１９を使用でき、居間３で使用頻度の高い物を効率よく収納できる。また、居室５内においても、壁５ａと直交する水平板部５ｂ上を収納として使用できる。
【図面の簡単な説明】
【００３５】
【図１】本発明に係る建物の一例を示すものであり、建物の概略構成を示す縦断面図である。
【図２】同、建物の２階の要部を示す斜視図である。
【図３】同、建物の収納空間を移動体とともに示す平面図である。
【図４】同、建物の収納空間を移動体とともに示す平面図である。
【図５】同、建物の収納空間を開閉部材とともに示す平面図である。
【図６】同、建物の２階の要部を示す斜視図である。
【図７】同、建物の収納空間を間仕切とともに示す側断面図である。
【図８】同、建物の収納空間を棚とともに示す側断面図である。
【図９】同、建物の収納空間を突出した棚とともに示す側断面図である。
【図１０】同、建物の収納空間を凹所とともに示す側断面図である。
【符号の説明】
【００３６】
１  特定階
２  特定床
３  居間（その他の空間）
４  中間床
４ａ  中間床縁部
６  収納空間
７  支持部
８  開口
１０  移動体
１１  開閉部材
１２  棚
１３  間仕切
【図１】
2005351032.tif 000003
【図２】
2005351032.tif 000004
【図３】
2005351032.tif 000005
【図４】
2005351032.tif 000006
【図５】
2005351032.tif 000007
【図６】
2005351032.tif 000008
【図７】
2005351032.tif 000009
【図８】
2005351032.tif 000010
【図９】
2005351032.tif 000011
【図１０】
2005351032.tif 000012